(57)【要約】【課題】システム全体のコストアップや通信量の増加を防止または抑制しつつ、設備管理サーバと設備監視制御装置との間で通信を行うことのできる設備監視制御システム、設備管理サーバ、設備監視制御装置、プログラム、記録媒体及び設備監視制御方法を提供する。【解決手段】設備管理サーバ４及び設備監視制御装置３に同期通信機能を備え、制御要求情報等を送受する場合にのみ設備管理サーバ４と設備監視制御装置３との間で通信を行って、設備監視制御装置３及び設備管理サーバ４が通信ネットワークを介して共通の制御要求情報及び結果情報を保有するようにした。【選択図】      図１
2004246679.tif 000002
【特許請求の範囲】
【請求項１】
動作状態が変化する制御対象設備の該動作状態を制御する１または複数の設備監視制御装置と、前記設備監視制御装置と通信ネットワークを介して接続された設備管理サーバとを備え、前記設備監視制御装置の動作を前記設備管理サーバにより前記通信ネットワークを介して制御する設備監視制御システムであって、
前記設備管理サーバは、
前記設備監視制御装置に要求する内容を示す要求情報を生成する要求情報生成手段と、
前記要求情報を格納する第１記憶手段と、
前記第１記憶手段に前記要求情報が格納されたことを検知すると、前記要求情報を前記設備監視制御装置に送信する第１通信手段とを備え、
前記設備監視制御装置は、
前記要求情報を受信する第２通信手段と、
前記第２通信手段により受信した要求情報を格納する第２記憶手段と、
前記第２記憶手段に前記要求情報が格納されたことを検知すると、この要求情報に基づく所定の処理を行う第１処理手段とを備えることを特徴とする設備監視制御システム。
【請求項２】
前記設備監視制御装置は、
前記第１処理手段による処理の実施結果を示す結果情報を生成する結果情報生成手段と、
前記結果情報を格納する第３記憶手段と、
前記第３記憶手段に前記結果情報が格納されたことを検知すると、前記結果情報を前記設備管理サーバに送信する第３通信手段とを備え、
前記設備管理サーバは、
前記結果情報を受信する第４通信手段と、
前記結果情報を格納する第４記憶手段と、
前記第４記憶手段に前記結果情報が格納されたことを検知すると、前記結果情報に基づく所定の処理を行う第２処理手段とを備えることを特徴とする請求項１記載の設備監視制御システム。
【請求項３】
前記要求情報は、前記制御対象設備の動作状態の制御を要求する情報を含むことを特徴とする請求項１または２に記載の設備監視制御システム。
【請求項４】
前記要求情報は、前記設備監視制御装置の前記記憶手段に格納されている情報の削除を要求する情報を含むことを特徴とする請求項１または２に記載の設備監視制御システム。
【請求項５】
前記要求情報は、前記設備監視制御装置を動作させるためのソフトウェアの更新を要求する情報及び新規のソフトウェアを含むことを特徴とする請求項１または２に記載の設備監視制御システム。
【請求項６】
前記要求情報は、前記設備監視制御装置の前記記憶手段に格納されている情報のバックアップを要求する情報を含むことを特徴とする請求項１または２に記載の設備監視制御システム。
【請求項７】
動作状態が変化する制御対象設備の該動作状態を制御する１または複数の設備監視制御装置の動作を通信ネットワークを介して制御する設備管理サーバであって、
前記設備監視制御装置に要求する内容を示す要求情報を生成する要求情報生成手段と、
前記要求情報を格納する第１記憶手段と、
前記第１記憶手段に前記要求情報が格納されたことを検知すると、前記要求情報を前記設備監視制御装置に送信する第１通信手段とを備えることを特徴とする設備管理サーバ。
【請求項８】
動作状態が変化する制御対象設備の該動作状態を制御するとともに、設備管理サーバにより通信ネットワークを介して動作が制御される設備監視制御装置であって、
前記設備管理サーバから前記通信ネットワークを介して送信された要求情報を受信する第２通信手段と、
前記第２通信手段により受信した要求情報を格納する第２記憶手段と、
前記第２記憶手段に前記要求情報が格納されたことを検知すると、この要求情報に基づく所定の処理を行う第１処理手段とを備えることを特徴とする設備監視制御装置。
【請求項９】
動作状態が変化する制御対象設備の該動作状態を制御する１または複数の設備監視制御装置の動作を通信ネットワークを介して設備管理サーバにより制御するためのプログラムであって、
前記設備管理サーバに、
前記設備監視制御装置に要求する内容を示す要求情報を生成する要求情報生成手段と、
前記要求情報を格納する第１記憶手段と、
前記第１記憶手段に前記要求情報が格納されたことを検知すると、前記要求情報を前記設備監視制御装置に送信する第１通信手段として機能させ、
前記設備監視制御装置に、
前記要求情報を受信する第２通信手段と、
前記第２通信手段により受信した要求情報を格納する第２記憶手段と、
前記第２記憶手段に前記要求情報が格納されたことを検知すると、この要求情報に基づく所定の処理を行う第１処理手段として機能させるためのプログラム。
【請求項１０】
動作状態が変化する制御対象設備の該動作状態を制御する１または複数の設備監視制御装置の動作を通信ネットワークを介して制御する設備管理サーバに、
前記設備監視制御装置に要求する内容を示す要求情報を生成する要求情報生成手段と、
前記要求情報を格納する第１記憶手段と、
前記第１記憶手段に前記要求情報が格納されたことを検知すると、前記要求情報を前記設備監視制御装置に通信ネットワークを介して送信する第１通信手段として機能させ、
前記設備監視制御装置に、
前記要求情報を受信する第２通信手段と、
前記第２通信手段により受信した要求情報を格納する第２記憶手段と、
前記第２記憶手段に前記要求情報が格納されたことを検知すると、この要求情報に基づく所定の処理を行う第１処理手段として機能させるためのプログラムが記録された、前記設備監視制御装置及び設備管理サーバにより読取可能な記録媒体。
【請求項１１】
動作状態が変化する制御対象設備の該動作状態を制御する１または複数の設備監視制御装置と、前記設備監視制御装置と通信ネットワークを介して接続された設備管理サーバとを備え、前記設備監視制御装置の動作を前記設備管理サーバにより前記通信ネットワークを介して制御する設備監視制御方法であって、
前記設備管理サーバに、
前記設備監視制御装置に要求する内容を示す要求情報を生成させ、
前記要求情報を記憶させ、
この記憶した要求情報を前記設備監視制御装置に送信させ、
前記設備監視制御装置に、
前記要求情報を受信させ、
前記第２通信手段により受信した要求情報を記憶させ、
この記憶した要求情報に基づく所定の処理を行わせることを特徴とする設備監視制御方法。
【発明の詳細な説明】
【０００１】
【発明の属する技術分野】
本発明は、制御対象設備を制御対象とする設備監視制御装置の動作を、通信ネットワークを介して設備管理サーバにより制御する設備監視制御システムに関する。
【０００２】
【従来の技術】
従来、図１６に示すように、照明機器や空調機器等の制御対象設備１０１と、制御対象設備１０１の監視や制御を行う設備監視制御装置１０２と、設備監視制御装置１０２に接続されたＷｅｂサーバ装置１０３と、通信ネットワークを介してＷｅｂサーバ装置１０３と接続された設備管理サーバ１０４とを備えてなり、設備監視制御装置１０２が制御対象設備１０１から取り込んだ該制御対象設備１０１の動作状態に係る情報を、Ｗｅｂサーバ装置１０３及び通信ネットワークを介して設備管理サーバ１０４に送出し、その情報を設備管理サーバ１０４のマスターデータベースに格納して、制御対象設備１０１の動作状態を設備管理サーバ１０４から遠隔的に監視したり制御したりする設備監視制御システム１００が知られている（例えば、特許文献１参照）。
【０００３】
また、特許文献２には、センターサーバと、クライアント装置と、監視制御対象機器に制御系通信網を介して接続されたリモートコントロールサーバとが、互いにＬＡＮやＷＡＮを介して接続されてなり、センターサーバ、クライアント装置及びリモートコントロールサーバにそれぞれ構成されたバーチャルマシン（仮想機器）を介し、これらの機器間で、監視制御対象機器の情報を通信するように構成された監視制御システムが開示されている。
【０００４】
【特許文献１】
特許第３０６５０５３号
【特許文献２】
特開２００２−１５７１７８号
【０００５】
【発明が解決しようとする課題】
しかしながら、前者の設備監視制御システム１００においては、設備管理サーバと設備監視制御装置との間で通信ネットワークを介した情報の授受を行うために、設備監視制御装置１０２にＷｅｂサーバ装置１０３を設置する必要があるため、システム全体のコストアップを招く。
【０００６】
また、他の構成として、Ｗｅｂサーバ装置１０３を設置せず、例えば、ポーリング技術を利用して、設備監視制御装置１０２が一定の周期で設備管理サーバ１０４にアクセスし、該設備管理サーバ１０４に制御対象機器１０１の動作制御等の要求の有無を問い合わせ、要求が生じると、設備管理サーバ１０３からその要求情報を得るように構成した場合、該要求情報を送受する通信以外にも通信が発生するため、通信量が増加することとなる。
【０００７】
一方、後者の監視制御システムにおいては、各機器間で情報の授受を行うために、各機器にバーチャルマシン（仮想機器）を搭載させるためのプログラムを開発する必要があるため、このシステムにおいても、システム全体のコストアップを招くこととなる。
【０００８】
本発明は、上記の事情に鑑みてなされたもので、システム全体のコストアップや通信量の増加を防止または抑制しつつ、設備管理サーバと設備監視制御装置との間で通信を行うことのできる設備監視制御システム、設備管理サーバ、設備監視制御装置、プログラム、記録媒体及び設備監視制御方法を提供することを目的とする。
【０００９】
【課題を解決するための手段】
請求項１に記載の発明は、動作状態が変化する制御対象設備の該動作状態を制御する１または複数の設備監視制御装置と、前記設備監視制御装置と通信ネットワークを介して接続された設備管理サーバとを備え、前記設備監視制御装置の動作を前記設備管理サーバにより前記通信ネットワークを介して制御する設備監視制御システムであって、前記設備管理サーバは、前記設備監視制御装置に要求する内容を示す要求情報を生成する要求情報生成手段と、前記要求情報を格納する第１記憶手段と、前記第１記憶手段に前記要求情報が格納されたことを検知すると、前記要求情報を前記設備監視制御装置に送信する第１通信手段とを備え、前記設備監視制御装置は、前記要求情報を受信する第２通信手段と、前記第２通信手段により受信した要求情報を格納する第２記憶手段と、前記第２記憶手段に前記要求情報が格納されたことを検知すると、この要求情報に基づく所定の処理を行う第１処理手段とを備えることを特徴とするものである。
【００１０】
請求項７に記載の発明は、動作状態が変化する制御対象設備の該動作状態を制御する１または複数の設備監視制御装置の動作を通信ネットワークを介して制御する設備管理サーバであって、前記設備監視制御装置に要求する内容を示す要求情報を生成する要求情報生成手段と、前記要求情報を格納する第１記憶手段と、前記第１記憶手段に前記要求情報が格納されたことを検知すると、前記要求情報を前記設備監視制御装置に送信する第１通信手段とを備えることを特徴とするものである。
【００１１】
請求項８に記載の発明は、動作状態が変化する制御対象設備の該動作状態を制御するとともに、設備管理サーバにより通信ネットワークを介して動作が制御される設備監視制御装置であって、前記設備管理サーバから前記通信ネットワークを介して送信された要求情報を受信する第２通信手段と、前記第２通信手段により受信した要求情報を格納する第２記憶手段と、前記第２記憶手段に前記要求情報が格納されたことを検知すると、この要求情報に基づく所定の処理を行う第１処理手段とを備えることを特徴とするものである。
【００１２】
請求項９に記載の発明は、動作状態が変化する制御対象設備の該動作状態を制御する１または複数の設備監視制御装置の動作を通信ネットワークを介して設備管理サーバにより制御するためのプログラムであって、前記設備管理サーバに、前記設備監視制御装置に要求する内容を示す要求情報を生成する要求情報生成手段と、前記要求情報を格納する第１記憶手段と、前記第１記憶手段に前記要求情報が格納されたことを検知すると、前記要求情報を前記設備監視制御装置に送信する第１通信手段として機能させ、前記設備監視制御装置に、前記要求情報を受信する第２通信手段と、前記第２通信手段により受信した要求情報を格納する第２記憶手段と、前記第２記憶手段に前記要求情報が格納されたことを検知すると、この要求情報に基づく所定の処理を行う第１処理手段として機能させることを特徴とするものである。
【００１３】
請求項１０に記載の発明は、動作状態が変化する制御対象設備の該動作状態を制御する１または複数の設備監視制御装置の動作を通信ネットワークを介して制御する設備管理サーバに、前記設備監視制御装置に要求する内容を示す要求情報を生成する要求情報生成手段と、前記要求情報を格納する第１記憶手段と、前記第１記憶手段に前記要求情報が格納されたことを検知すると、前記要求情報を前記設備監視制御装置に通信ネットワークを介して送信する第１通信手段として機能させ、前記設備監視制御装置に、前記要求情報を受信する第２通信手段と、前記第２通信手段により受信した要求情報を格納する第２記憶手段と、前記第２記憶手段に前記要求情報が格納されたことを検知すると、この要求情報に基づく所定の処理を行う第１処理手段として機能させるためのプログラムが記録された、前記設備監視制御装置及び設備管理サーバにより読取可能な記録媒体である。
【００１４】
請求項１１に記載の発明は、動作状態が変化する制御対象設備の該動作状態を制御する１または複数の設備監視制御装置と、前記設備監視制御装置と通信ネットワークを介して接続された設備管理サーバとを備え、前記設備監視制御装置の動作を前記設備管理サーバにより前記通信ネットワークを介して制御する設備監視制御方法であって、前記設備管理サーバに、前記設備監視制御装置に要求する内容を示す要求情報を生成させ、前記要求情報を記憶させ、この記憶した要求情報を前記設備監視制御装置に送信させ、前記設備監視制御装置に、前記要求情報を受信させ、前記第２通信手段により受信した要求情報を記憶させ、この記憶した要求情報に基づく所定の処理を行わせることを特徴とするものである。
【００１５】
請求項１，７〜１１に記載の発明によれば、設備管理サーバにおいて、要求情報生成手段により、設備監視制御装置に要求する内容を示す要求情報が生成されると、前記要求情報が第１記憶手段に格納される。また、第１通信手段により、第１記憶手段に前記要求情報が格納されたことが検知されると、前記要求情報が前記設備監視制御装置に送信される。
【００１６】
一方、設備監視制御装置において、第２通信手段により、設備管理サーバから送信された前記要求情報が受信され、この受信した要求情報が第２記憶手段に格納される。そして、第１処理手段により、前記第２記憶手段に前記要求情報が格納されたことが検知されると、この要求情報に基づく所定の処理が行われる。
【００１７】
このように、設備管理サーバ及び設備監視制御装置に、要求情報の授受を行う機能を搭載するとともに、設備管理サーバの第１記憶手段に要求情報が格納されると、この要求情報を自動的に設備監視制御装置に送信して、該装置の第２記憶手段に上記要求情報を格納するように構成したので、Ｗｅｂサーバ装置などの通信装置を別途設置して通信を行う構成やポーリング技術を利用する構成に比して、コストアップや通信量の増加を防止または抑制しつつ、設備管理サーバと設備監視制御装置との間で要求情報の通信が可能な設備監視制御装置を構築することができる。
【００１８】
請求項２に記載の発明は、請求項１記載の設備監視制御システムにおいて、前記設備監視制御装置は、前記第１処理手段による処理の実施結果を示す結果情報を生成する結果情報生成手段と、前記結果情報を格納する第３記憶手段と、前記第３記憶手段に前記結果情報が格納されたことを検知すると、前記結果情報を前記設備管理サーバに送信する第３通信手段とを備え、前記設備管理サーバは、前記結果情報を受信する第４通信手段と、前記結果情報を格納する第４記憶手段と、前記第４記憶手段に前記結果情報が格納されたことを検知すると、前記結果情報に基づく所定の処理を行う第２処理手段とを備えることを特徴とするものである。
【００１９】
この発明によれば、設備監視制御装置において、結果情報生成手段により、前記第１処理手段による処理の実施結果を示す結果情報が生成されると、この結果情報が第３記憶手段に格納される。また、第３通信手段により、第３記憶手段に前記結果情報が格納されたことが検知されると、この結果情報が設備管理サーバに送信される。
【００２０】
一方、設備管理サーバにおいて、第４通信手段により、設備監視制御装置から送信された前記結果情報が受信され、この受信した結果情報が第４記憶手段に格納される。そして、第２処理手段により、第４記憶手段に結果情報が格納されたことが検知されると、この結果情報に基づく所定の処理が行われる。
【００２１】
このように、設備管理サーバ及び設備監視制御装置に、結果情報の授受を行う機能を搭載するとともに、設備監視制御装置の第３記憶手段に結果情報が格納されると、この結果情報を自動的に設備管理サーバに送信して、該サーバの第４記憶手段に上記結果情報を格納するように構成したので、コストアップや通信量の増加を防止または抑制しつつ、設備管理サーバと設備監視制御装置との間で結果情報の通信が可能な設備監視制御装置を構築することができる。
【００２２】
請求項３に記載の発明は、請求項１または２に記載の設備監視制御システムにおいて、前記要求情報は、前記制御対象設備の動作状態の制御を要求する情報を含むことを特徴とするものである。
【００２３】
この発明によれば、設備管理サーバから設備監視制御装置に要求する内容を示す要求情報として、前記制御対象設備の動作状態の制御を要求する情報を含むので、コストアップや通信量の増加を防止または抑制しつつ、設備管理サーバから設備監視制御装置に対して、制御対象設備の動作状態の制御を要求する情報を送信することができ、これにより、設備監視制御装置による制御対象設備の動作状態を制御することが可能となる。
【００２４】
請求項４に記載の発明は、請求項１または２に記載の設備監視制御システムにおいて、前記要求情報は、前記設備監視制御装置の前記記憶手段に格納されている情報の削除を要求する情報を含むことを特徴とするものである。
【００２５】
この発明によれば、設備管理サーバから設備監視制御装置に要求する内容を示す要求情報として、設備監視制御装置の前記記憶手段に格納されている情報の削除を要求する情報を含むので、コストアップや通信量の増加を防止または抑制しつつ、設備管理サーバから設備監視制御装置に対して、設備監視制御装置の前記記憶手段に格納されている情報の削除を要求する情報を送信することができ、これにより、設備監視制御装置に格納されている情報の削除が可能となる。
【００２６】
請求項５に記載の発明は、請求項１または２に記載の設備監視制御システムにおいて、前記要求情報は、前記設備監視制御装置を動作させるためのソフトウェアの更新を要求する情報及び新規のソフトウェアを含むことを特徴とするものである。
【００２７】
この発明によれば、設備管理サーバから設備監視制御装置に要求する内容を示す要求情報として、設備監視制御装置を動作させるためのソフトウェアの更新を要求する情報及び新規のソフトウェアを含むので、コストアップや通信量の増加を防止または抑制しつつ、設備管理サーバから設備監視制御装置に対して、設備監視制御装置を動作させるためのソフトウェアの更新を要求する情報及び新規のソフトウェアを送信することができ、これにより、設備監視制御装置を動作させるためのソフトウェアを上記新規のソフトウェアに更新可能となる。
【００２８】
請求項６に記載の発明は、請求項１または２に記載の設備監視制御システムにおいて、前記要求情報は、前記設備監視制御装置の前記記憶手段に格納されている情報のバックアップを要求する情報を含むことを特徴とするものである。
【００２９】
この発明によれば、設備管理サーバから設備監視制御装置に要求する内容を示す要求情報として、設備監視制御装置の前記記憶手段に格納されている情報のバックアップを要求する情報を含むので、コストアップや通信量の増加を防止または抑制しつつ、設備管理サーバから設備監視制御装置に対して、設備監視制御装置の前記記憶手段に格納されている情報のバックアップを要求する情報を送信することができ、これにより、設備監視制御装置に格納されている情報のバックアップが可能となる。
【００３０】
【発明の実施の形態】
本発明の実施形態について説明する。
【００３１】
図１は、本実施形態の設備監視制御システムの構成図である。
【００３２】
図１に示すように、本実施形態の設備監視制御システム１は、例えばビル等に設置される照明設備や空調設備等の複数の制御対象設備２と、各制御対象設備２に対応して設けられ、制御対象設備２の制御や監視を行う複数の設備監視制御装置３と、制御対象設備２や設備監視制御装置３に関する各種情報の収集及び管理を行う設備管理サーバ４とを備えており、制御対象設備２と設備監視制御装置３とは所定の通信線Ｌ１で、設備監視制御装置３と設備管理サーバ４とは通信ネットワークを介して接続されている。
【００３３】
本設備監視制御システム１にあっては、通信ネットワークを介し、設備管理サーバ４と設備監視制御装置３との間で各種情報を授受すべく、分散データベースの技術における同期機能を利用して、設備監視制御装置３及び設備管理サーバ４が共通の情報を保有するための通信（以下、同期通信という）を行うように構成しており、ここに本実施形態の主たる特徴がある。なお、分散データベースの技術とは、一般的に、通信ネットワークに接続された複数のコンピュータが有するデータベースを、あたかも単一のデータベースであるかのように見せる技術をいう。
【００３４】
設備管理サーバ４と設備監視制御装置３との間で授受される情報のうち、設備管理サーバ４から設備監視制御装置３に送出される情報として、制御対象設備２の動作状態を所定の動作状態に制御するように要求する情報（以下、制御要求情報という）と、設備監視制御装置３に格納されている情報を削除するように要求する情報（以下、削除要求情報という）と、設備監視制御装置３が実行するソフトウェアを更新するように要求する情報（以下、ソフト更新要求情報という）及び新規のプログラムと、設備監視制御装置３に格納されている情報のバックアップを作成するように要求する情報（以下、バックアップ要求情報という）とを有する。なお、設備管理サーバ４から設備監視制御装置３に送出される上記各情報を総称して要求情報というものとする。
【００３５】
本実施形態では、これらの要求情報のうち、制御対象設備２を所定の動作状態に制御するように設備管理サーバ４から設備監視制御装置３に要求する制御要求情報について、設備管理サーバ４と設備監視制御装置３との間で同期通信を行うようにしている。
【００３６】
一方、設備監視制御装置３から設備管理サーバ４に送出される情報として、設備監視制御装置３による制御対象設備２に対する制御の実施結果に係る情報（以下、結果情報という）を有し、この結果情報についても設備管理サーバ４と設備監視制御装置３との間で同期通信を行うようにしている。
【００３７】
設備監視制御装置３と設備管理サーバ４とを通信可能に接続する通信ネットワークは、公衆電話回線や専用線等の電気通信回線を含み、設備監視制御装置３と設備管理サーバ４とは、例えばＴＣＰ／ＩＰ（ｔｒａｎｓｍｉｓｓｉｏｎ  ｃｏｎｔｒｏｌ  ｐｒｏｔｏｃｏｌ／ｉｎｔｅｒｎｅｔ  ｐｒｏｔｏｃｏｌ）を利用した通信方式による通信が可能となっている。
【００３８】
図２は、設備管理サーバ４の制御ブロック図である。
【００３９】
図２に示すように、設備管理サーバ４は、アプリケーション実行部４１、要求情報受信部４２、要求情報書込み部４３、記憶部４４、要求情報検知部４５、結果情報書込み部４６、結果情報検知部４７及び結果情報送信部４８を備えてなる制御部と、同期通信部４９とを備えてなる。
【００４０】
設備管理サーバ４は、例えばフレキシブルディスク、ＣＤ−ＲＯＭ、ＣＤ−Ｒ、あるいはＤＶＤ−Ｒなどの外部の記録媒体との間でデータの読み書きを行う図略の装置を備え、この装置を用いて、各種のプログラムを記録した記録媒体から該プログラムをインストールする。
【００４１】
インストールされるプログラムの１つとして、当該設備管理サーバ４を、アプリケーション実行部４１、要求情報受信部４２、要求情報書込み部４３、記憶部４４、要求情報検知部４５、結果情報書込み部４６、結果情報検知部４７、結果情報送信部４８及び同期通信部４９として機能させるためのプログラムが含まれており、設備管理サーバ４はこのプログラムをインストールすることで、機能的にアプリケーション実行部４１等を備えることとなる。
【００４２】
アプリケーション実行部４１は、通信ネットワークを介して設備監視制御装置３に対し種々の要求を行うための画面Ｇ１（以下、制御要求画面Ｇ１という、図３参照）を図略の表示部に表示するとともに、図略の操作部により制御要求画面Ｇ１上のボタン等が指定操作されると、要求情報（本実施形態では、設備監視制御装置３に対する制御対象設備２の動作状態の制御を要求する旨を示す制御要求情報）を生成するものである。
【００４３】
図３は、設備管理サーバ４の表示部に表示される制御要求画面Ｇ１の一例を示す図である。
【００４４】
図３に示すように、設備管理サーバ４の表示部には、例えば、設備管理サーバ４が管理する対象のビルの名称と、そのビルに設置されている制御対象設備２の各名称及びその動作状態のテーブルＴ１と、「更新」ボタンＢ１とを有する制御要求画面Ｇ１が表示される。
【００４５】
この制御要求画面Ｇ１において、いずれかの制御対象設備２（例えば照明１）の動作状態を示す表示領域を操作部により指定すると、「ＯＮ」及び「ＯＦＦ」のボタンＢ２，Ｂ３を有する「制御ダイアログ」ボックスＶ１が表示される。この「制御ダイアログ」ボックスＶ１において、「ＯＮ」ボタンＢ２または「ＯＦＦ」ボタンＢ３を操作部により指定し、制御要求画面Ｇ１の「更新」ボタンＢ１を操作することで、当該制御対象設備２（例えば照明１）の動作状態をオンまたはオフの動作状態にするように設備監視制御装置３に対して要求することができる。
【００４６】
アプリケーション実行部４１は、設備監視制御装置３から後述する結果情報が送信されると、この結果情報に基づいて制御要求画面Ｇ１の表示更新処理も行う。
【００４７】
要求情報受信部４２は、アプリケーション実行部４１により生成された要求情報を受信するものである。
【００４８】
要求情報書込み部４３は、要求情報受信部４２により受信した要求情報を記憶部４４の後述する要求情報テーブルＴ２（図６（ａ）参照）に書き込むものである。
【００４９】
記憶部４４は、要求情報及び該情報を送信すべき監視制御対象装置の名称等をテーブル形式で記憶する要求情報テーブル記憶部、及び設備監視制御装置３から送信された結果情報及び該情報を送信した設備監視制御装置３の名称等をテーブル形式で記憶する結果情報テーブル記憶部を含む。なお、要求情報テーブルＴ２及び結果情報テーブルＴ５（図６（ｄ）参照）の具体例等については後述する。
【００５０】
要求情報検知部４５は、記憶部４４の要求情報テーブルＴ２に要求情報が新たに格納されたことを検知し、その新たな要求情報を同期通信部４９に送出するものである。本実施形態の設備管理サーバ４は、要求情報テーブルＴ２への要求情報の格納を待機し、要求情報が格納されるとイベント信号を出力する所定のアプリケーションを有し、要求情報検知部４５は、このアプリケーションにより出力されたイベント信号を受信することで、要求情報が新たに格納されたことを検知する。
【００５１】
同期通信部４９は、後述する設備監視制御装置３の同期通信部３１（図４参照）との間で通信コネクションを確立した後、要求情報検知部４５から送出された要求情報及び結果情報を通信するものである。
【００５２】
結果情報書込み部４６は、同期通信部４９により受信した結果情報を記憶部４４に書き込むものである。
【００５３】
結果情報検知部４７は、記憶部４４の結果情報テーブルＴ５に結果情報が新たに格納されたことを検知するものである。結果情報検知部４７は、要求情報検知部４５と同様、結果情報テーブルＴ５への結果情報の格納を待機し、結果情報が格納されるとイベント信号を出力する所定のアプリケーションにより出力された該イベント信号を受信することで、結果情報が新たに格納されたことを検知する。
【００５４】
結果情報送信部４８は、結果情報検知部４７により検知された結果情報をアプリケーション実行部４１に送信するものである。
【００５５】
図４は、設備監視制御装置３の制御ブロック図である。
【００５６】
図４に示すように、設備監視制御装置３は、同期通信部３１と、要求情報書込み部３２、記憶部３３、要求情報検知部３４、制御情報生成部３５、結果情報書込み部３６及び結果情報検知部３７を備えてなる制御部と、設備通信部３８とを備えてなる。
【００５７】
設備監視制御装置３は、例えばフレキシブルディスク、ＣＤ−ＲＯＭ、ＣＤ−Ｒ、あるいはＤＶＤ−Ｒなどの外部の記録媒体との間でデータの読み書きを行う図略の装置を備え、この装置を用いて、各種のプログラムを記録した記録媒体から該プログラムをインストールする。
【００５８】
インストールされるプログラムの１つとして、当該設備監視制御装置３を、同期通信部３１と、要求情報書込み部３２、記憶部３３、要求情報検知部３４、制御情報生成部３５、結果情報書込み部３６、結果情報検知部３７及び設備通信部３８として機能させるためのプログラムが含まれており、設備監視制御装置３はこのプログラムをインストールすることで、機能的に同期通信部３１等を備えることとなる。
【００５９】
同期通信部３１は、設備管理サーバ４の同期通信部４９との間で通信コネクションを確立した後、要求情報及び結果情報について同期通信を行うものである。
【００６０】
要求情報書込み部３２は、同期通信部３１により受信した要求情報を記憶部３３に書き込むものである。
【００６１】
記憶部３３は、設備管理サーバ４から送信された要求情報及び当該設備監視制御装置３の名称等をテーブル形式で記憶する要求情報テーブル記憶部、及び設備管理サーバ４に送出する結果情報及び当該設備監視制御装置３の名称等をテーブル形式で記憶する結果情報テーブル記憶部を含む。なお、要求情報テーブルＴ３及び結果情報テーブルＴ４（図６（ｂ），（ｃ）参照）の具体例等については後述する。
【００６２】
要求情報検知部３４は、記憶部３３の要求情報テーブルＴ３に要求情報が格納されたことを検知し、その新たな要求情報を制御情報生成部３５に送出するものである。本実施形態の設備監視制御装置３は、要求情報テーブルＴ３への要求情報の格納を待機し、要求情報が格納されるとイベント信号を出力する所定のアプリケーションを有し、要求情報検知部３４は、このアプリケーションにより出力されたイベント信号を受信することで、要求情報が新たに格納されたことを検知する。
【００６３】
制御情報生成部３５は、要求情報検知部３４から送信された要求情報に基づき、制御対象設備２の動作状態を制御するための制御情報を生成するものである。
【００６４】
設備通信部３８は、制御対象設備２の図略の通信部との間で、制御情報生成部３５により生成された制御情報と、制御対象設備２において生成された結果情報の通信を行うものである。
【００６５】
結果情報書込み部３６は、設備通信部３８により受信した結果情報を、記憶部３３の結果情報テーブルＴ４に書き込むものである。
【００６６】
結果情報検知部３７は、記憶部３３の結果情報テーブルＴ４に結果情報が新たに格納されたことを検知し、この新たな結果情報を同期通信部３１に送出するものである。結果情報検知部３７は、要求情報検知部３４と同様、結果情報テーブルＴ４への結果情報の格納を待機し、結果情報が格納されるとイベント信号を出力する所定のアプリケーションを有し、結果情報検知部３７は、このアプリケーションにより出力されたイベント信号を受信することで、結果情報が新たに格納されたことを検知する。
【００６７】
以上の構成を有する設備管理サーバ４と設備監視制御装置３との間では、図５に示す通信シーケンスにしたがって通信が行われる。
【００６８】
図５に示すように、まず、設備管理サーバ４において、管理者により制御要求画面Ｇ１で、例えば制御対象設備２の動作状態を所定の動作状態に制御するように要求する操作が行われると、アプリケーション実行部４１により、その旨を示す制御要求情報が生成され、要求情報受信部４２を介して要求情報書込み部４３により、その制御要求情報が記憶部４４の要求情報テーブルＴ２に書き込まれる。
【００６９】
そして、要求情報検知部４５により、制御要求情報が記憶部４４の要求情報テーブルＴ２に書き込まれたことが検知されると、設備管理サーバ４及び設備監視制御装置３の各同期通信部４９，３１により、通信コネクションの確立後、上記制御要求情報についての同期通信が行われ、設備監視制御装置３において、要求情報書込み部３２により、その制御要求情報が記憶部３３の要求情報テーブルＴ３に書き込まれる。
【００７０】
続いて、設備監視制御装置３において、要求情報検知部３４により制御要求情報が記憶部３３の要求情報テーブルＴ３に書き込まれたことが検知されると、制御情報生成部３５により、その制御要求情報に基づいて制御情報が生成され、設備通信部３８により、制御対象設備２にその制御情報が送信される。
【００７１】
制御対象設備２において、設備監視制御装置３から制御情報が受信されると、この制御情報に基づく処理が実施され、その実施結果を示す結果情報が設備監視制御装置３に送信される。設備監視制御装置３において、設備通信部３８により、この結果情報が受信されると、結果情報書込み部３６により該結果情報が記憶部３３の結果情報テーブルＴ４に書き込まれる。
【００７２】
そして、結果情報検知部３７により、結果情報が記憶部３３の結果情報テーブルＴ４に書き込まれたことが検知されると、設備管理サーバ４及び設備監視制御装置３の各同期通信部３１、４９により、通信コネクションの確立後、上記結果情報についての同期通信が行われ、その結果情報が設備管理サーバ４における記憶部４４の結果情報テーブルＴ５に書き込まれる。
【００７３】
その後、設備管理サーバ４において、結果情報検知部４７により、結果情報が結果情報テーブルＴ５に書き込まれたことが検知されると、結果情報が結果情報送信部４８を介してアプリケーション実行部４１に送信され、アプリケーション実行部４１により、その結果情報に応じて制御要求画面Ｇ１の表示の更新処理が行われる。
【００７４】
次に、図２に示す制御要求画面Ｇ１において、設備監視制御装置３に対し、照明１の動作状態をオフからオンに制御するように要求する操作を行った場合に、設備管理サーバ４と設備監視制御装置３との間で授受される情報について具体的に説明する。
【００７５】
図２に示す制御要求画面Ｇ１において、例えば「制御ダイアログ」ボックスＶ１の「ＯＮ」ボタンＢ２を指定操作すると、アプリケーション実行部４１により、「アドレスが００１の制御対象設備２をＯＮにする」という要求内容を示す制御要求情報「ｃｏｍｍａｎｄ＝＃３１１，ａｄｄｒｅｓｓ＝００１，ｓｔａｔｅ＝０１」が生成される。
【００７６】
この制御要求情報のうち「ｃｏｍｍａｎｄ＝＃３１１」の情報は、設備監視制御装置３に要求する内容が制御対象設備２の動作状態の制御であることを示し、「ａｄｄｒｅｓｓ＝００１」の情報は、アドレスが００１の制御対象設備２（照明１）を示し、「ｓｔａｔｅ＝０１」の情報は、その制御対象設備２の動作をオンにすることを示す。
【００７７】
アプリケーション実行部４１により生成された制御要求情報は、図６（ａ）に示すように、記憶部４４の要求情報テーブルＴ２に書き込まれる。
【００７８】
図６（ａ）に示す要求情報テーブルＴ２は、設備監視制御装置３の種類、タイムスタンプ（制御要求情報が該テーブルＴ２に書き込まれた日時）、及び要求情報をフィールドとして備え、制御要求画面Ｇ１においていずれかの設備監視制御装置３に対する要求が行われる度に生成されるレコードを蓄積してなるものである。
【００７９】
制御要求情報が記憶部４４の要求情報テーブルＴ２に書き込まれると、設備管理サーバ４と設備監視制御装置３の各同期通信部４９，３１によりその制御要求情報が送受される。
【００８０】
設備監視制御装置３において、制御要求情報を受け取ると、図６（ｂ）に示すように、該設備監視制御装置３における記憶部３３の要求情報テーブルＴ３にこの制御要求情報が書き込まれる。
【００８１】
図６（ｂ）に示す要求情報テーブルＴ３は、図６（ａ）に示す、設備管理サーバ４側の要求情報テーブルＴ２と同様、設備監視制御装置３の種類、タイムスタンプ（制御要求情報が該テーブルＴ３に書き込まれた日時）、及び要求情報をフィールドとして備えてなるものである。
【００８２】
なお、設備監視制御装置３における記憶部３３の要求情報テーブルＴ３に書き込まれた情報は、上述のように、設備管理サーバ４における記憶部４４の要求情報テーブルＴ２に同様の情報が格納されており、管理者による要求に対する一連の処理が終了すると不要となるため、該テーブルＴ３から削除される。図６（ｂ）に示す設備監視制御装置３側の要求情報テーブルＴ３が、図６（ａ）に示す設備管理サーバ４側の要求情報テーブルＴ２と情報量が異なっているのはこの理由による。
【００８３】
要求情報テーブルＴ３に制御要求情報が書き込まれると、制御情報生成部３５により、この制御要求情報に基づいて制御情報が生成され、設備通信部３８によりの制御情報が制御対象設備２に送信される。
【００８４】
制御対象設備２において上記制御情報に基づく処理（照明１をオンする処理）が実施され、その実施結果を示す結果情報、例えば「アドレスが００１の制御対象設備２をＯＮにした」という情報が、該制御対象設備２から設備監視制御装置３に送信される。
【００８５】
設備監視制御装置３において、この受信した結果情報が「ｃｏｍｍａｎｄ＝＃３１１，ａｄｄｒｅｓｓ＝００１，ｒｅｓｕｌｔ＝１」という形式に変換され、図６（ｃ）に示すように、この結果情報が記憶部３３の結果情報テーブルＴ４に書き込まれる。なお、この結果情報のうち「ｒｅｓｕｌｔ＝１」の情報は、制御対象設備２（照明１）をオンにしたことを示す。
【００８６】
図６（ｃ）に示す結果情報テーブルＴ４は、設備監視制御装置３の種類、タイムスタンプ（結果情報が該テーブルＴ４に書き込まれた日時）、及び結果情報をフィールドとして備えてなるものである。なお、要求情報テーブルと同様に、設備監視制御装置３における記憶部３３の結果情報テーブルＴ４についても、管理者による要求に対する一連の処理が終了すると結果情報は削除される。
【００８７】
結果情報が記憶部３３の結果情報テーブルＴ４に書き込まれると、設備監視制御装置３及び設備管理サーバ４の各同期通信部３１、４９により、その結果情報が送受される。
【００８８】
設備管理サーバ４において、結果情報を受け取ると、図６（ｄ）に示すように、記憶部４４の結果情報テーブルＴ５にこの結果情報が書き込まれる。
【００８９】
図６（ｄ）に示す結果情報テーブルＴ５は、図６（ｃ）に示す設備監視制御装置３側の結果情報テーブルＴ４と同様、設備監視制御装置３の種類、タイムスタンプ（結果情報が該テーブルＴ５に書き込まれた日時）、及び結果情報をフィールドとして備え、設備監視制御装置３から結果情報が送出されるたびに生成されるレコードを蓄積してなるものである。
【００９０】
結果情報が記憶部４４の結果情報テーブルＴ５に書き込まれると、アプリケーション実行部４１により、結果情報に応じて制御要求画面Ｇ１の表示更新処理が行われる。例えば、照明１がオンされた場合には、図３（ｂ）の矢印Ａに示すように、照明１の動作状態を表示する表示領域の表示が「ＯＦＦ」から「ＯＮ」に切り替えられる。
【００９１】
このように、設備管理サーバ４及び設備監視制御装置３に同期通信機能を備え、制御要求情報等を送受する場合にのみ設備管理サーバ４と設備監視制御装置３との間で通信を行って、設備監視制御装置３及び設備管理サーバ４が通信ネットワークを介して共通の制御要求情報及び結果情報を保有するようにしたから、従来のようにポーリング処理を利用して共通の制御要求情報等を保有する構成に比して、通信量を低減することができる。
【００９２】
また、設備監視制御装置３が制御要求情報等の通信を行うために、設備監視制御装置３にＷｅｂサーバ装置等の通信装置を別途設置する構成に比して、設備監視制御システム１のコストアップを抑制することができ、制御対象設備２の制御及びその制御結果の確認を行うことのできる設備監視制御システム１を比較的簡単な構成で構築することができる。
【００９３】
次に、本発明の第２の実施形態について説明する。本実施形態においては、設備管理サーバ４と設備監視制御装置３との間で通信する情報の種類、及び設備監視制御装置３の構成が第１の実施形態と異なるだけで、図１に示す設備監視制御システム１や図２に示す設備管理サーバ４の構成については略同様であるから、その相違点についてのみ説明することとする。
【００９４】
第２の実施形態においては、設備監視制御装置３の記憶部３３に格納されている要求情報や結果情報は、管理者の要求に対する一連の処理が終了すると、同様の情報を設備管理サーバ４にも格納していて不要となることから、これらの情報を削除するように設備監視制御装置３に要求可能に構成し、設備管理サーバ４と設備監視制御装置３との間で、この要求を示す削除要求情報について同期通信を行うようにしたものである。
【００９５】
この機能を実現するために、アプリケーション実行部４１は、設備監視制御装置３に対し、通信ネットワークを介して該設備監視制御装置３の記憶部３３に格納されている情報の削除を要求するための画面（以下、削除要求画面という、図示せず）を図略の表示部に表示するとともに、図略の操作部により削除要求画面上において削除指示操作が行われると、設備監視制御装置３に対して情報の削除を要求する旨を示す削除要求情報を生成する機能を有している。
【００９６】
また、この機能を実現すべく、本実施形態の設備監視制御装置３は、図７に示すように、第１の実施形態における構成に加えて、処理部３９を備えており、本実施形態では、処理部３９は、要求情報検知部３４により記憶部３３に削除要求情報が格納されたことが検知されると、該記憶部３３に格納されている所定の情報の削除を実行する。
【００９７】
図略のデータ削除要求画面を表示部に表示させ、この画面において、例えば設備監視制御装置「１」に格納されている２００２年１０月３１日以前のデータを削除するための操作が行われると、アプリケーション実行部４１により、その旨を示す削除要求情報「ｃｏｍｍａｎｄ＝＃７５０，ｔｉｍｅｓｔａｍｐ＝２００２／１０／３１」の情報が生成され、図８（ａ）に示すように、記憶部４４の要求情報テーブルＴ２に書き込まれる。この削除要求情報のうち「ｃｏｍｍａｎｄ＝＃７５０」の情報は、設備監視制御装置３に要求する内容が情報の削除であることを示し、「ｔｉｍｅｓｔａｍｐ＝２００２／１０／３１」の情報は、削除する情報の時間的範囲を示す。
【００９８】
削除要求情報が記憶部４４の要求情報テーブルＴ２に書き込まれると、第１の実施形態と同様、設備管理サーバ４及び設備監視制御装置３の各同期通信部４９、３１により、その削除要求情報が送受される。
【００９９】
設備監視制御装置３において、削除要求情報を受信すると、図８（ｂ）に示すように、該設備監視制御装置３における記憶部３３の要求情報テーブルＴ３にこの削除要求情報が書き込まれる。
【０１００】
要求情報テーブルＴ３に削除要求情報が書き込まれると、設備監視制御装置３において、その削除要求情報に基づき、指定された情報の削除処理が行われ、図８（ｃ）に示すように、その結果情報が記憶部３３の結果情報テーブルＴ４に書き込まれる。
【０１０１】
この結果情報テーブルＴ４は、設備監視制御装置「１」に格納されている２００２年１０月３１日以前の情報を削除したことを示す「ｃｏｍｍａｎｄ＝＃７５０，ｒｅｓｕｌｔ＝１」の結果情報が、２００２年１０月３１日１０時５２分に記憶部３３に格納されたことを示す。なお、この結果情報のうち「ｒｅｓｕｌｔ＝１」の情報は、情報の削除に成功したことを示す。
【０１０２】
結果情報が記憶部の結果情報テーブルＴ４に書き込まれると、第１の実施形態と同様、設備監視制御装置３及び設備管理サーバ４の各同期通信部３１，４９により、その結果情報が送受される。
【０１０３】
設備管理サーバ４において、結果情報を受け取ると、図８（ｄ）に示すように、記憶部４４の結果情報テーブルＴ５にこの結果情報が書き込まれる。
【０１０４】
このように、設備管理サーバ４及び設備監視制御装置３に同期通信機能を備え、削除要求情報等を送受する場合にのみ設備管理サーバ４と設備監視制御装置３との間で通信を行って、設備監視制御装置３及び設備管理サーバ４が通信ネットワークを介して共通の制御要求情報及び結果情報を保有するようにしたから、設備監視制御装置３の記憶部に格納されている情報の削除及びその処理結果の確認を行うことのできる設備監視制御システム１を比較的簡単な構成で構築することができる。
【０１０５】
次に、本発明の第３の実施形態について説明する。本実施形態においては、設備管理サーバ４と設備監視制御装置３との間で通信する情報の種類、図７に示す設備監視制御装置３における処理部３９の処理内容が第２の実施形態と異なるだけで、図１に示す設備監視制御システム１、図２に示す設備管理サーバ４、及び図７に示す設備監視制御装置３の構成については第２の実施形態と略同様であるから、その相違点についてのみ説明することとする。
【０１０６】
第３の実施形態では、設備監視制御装置３を動作させるためのソフトウェアの更新を設備管理サーバ４から設備監視制御装置３に要求する旨の情報と新規のソフトウェアについて、設備管理サーバ４と設備監視制御装置３との間で同期通信を行うものである。
【０１０７】
この機能を実現するために、アプリケーション実行部４１は、図９に示すように、設備監視制御装置３に対してソフトウェアの更新を要求するための画面Ｇ２（以下、ソフト更新要求画面Ｇ２という）を図略の表示部に表示するとともに、図略の操作部によりソフト更新要求画面Ｇ２上においてソフト更新指示操作が行われると、設備監視制御装置３に対してソフトウェアの更新を指示する旨を示すソフト更新要求情報を生成する機能を有している。
【０１０８】
また、本実施形態においては、設備監視制御装置３の処理部３９は、要求情報検知部３４により記憶部３３に更新要求情報が格納されたことが検知されると、ソフトウェアの更新を実行する。
【０１０９】
図９に示すように、設備管理サーバ４の表示部には、例えば、設備管理サーバ４が管理する対象のビル及び設備監視制御装置３の名称と、新規のソフトウェアの名称と、「更新」ボタンＢ４とを有するソフト更新要求画面Ｇ２が表示される。
【０１１０】
また、新規のソフトウェアの名称を表示する表示領域に隣接して、「選択」ボタンＢ５が表示されており、この「選択」ボタンＢ５を操作すると、ソフトウェア選択ダイアログボックスＶ２が表示され、このダイアログボックスＶ２において、複数のソフトウェアの中から所望のソフトウェアが選択可能となっている。
【０１１１】
ソフトウェア選択ダイアログボックスＶ２においてソフトウェアを選択した後、ソフト更新要求画面Ｇ２において、「更新」ボタンＢ４を操作すると、設備監視制御装置３に対してソフトウェアの更新要求を行うことができる。
【０１１２】
「更新」ボタンＢ４が操作されると、アプリケーション実行部４１により、ソフトウェアの更新を要求する旨を示すソフト更新要求情報「ｃｏｍｍａｎｄ＝＃７６０，ｆｉｌｅ＝ｔｓｋ１」が生成され、図１０（ａ）に示すように、記憶部４４の要求情報テーブルＴ２に書き込まれる。このソフト更新要求情報のうち「ｃｏｍｍａｎｄ＝＃７６０」の情報は、設備監視制御装置３に要求する内容がソフトウェアの更新であることを示し、「ｆｉｌｅ＝ｔｓｋ１」の情報は、更新するソフトウェアがソフト更新要求画面Ｇ２で選択したソフトウェアであることを示す。
【０１１３】
また、本実施形態では、図１０（ｂ）に示すように、設備管理サーバ４の記憶部４４は、要求情報テーブルＴ２の他に、ソフトウェアのバイナリファイルを格納するテーブルＴ６（以下、ソフトウェアテーブルＴ６）を有し、このテーブルＴ６に、新しいソフトウェアのバイナリファイルが書き込まれる。なお、バイナリファイルは、バイナリ（２進数）で作成されたデータが単純に並べられて構成され、ソフトウェアの実行モジュールを記録するためのファイルである。
【０１１４】
図１０（ｂ）に示すソフトウェアテーブルＴ６は、設備監視制御装置３の種類、タイムスタンプ（ソフト更新要求情報が該テーブルＴ６に書き込まれた日時）、及びソフトウェアをフィールドとして備え、各設備監視制御装置３についてのレコードを蓄積してなるものである。
【０１１５】
ソフト更新要求情報及び新規のソフトウェアが記憶部４４の要求情報テーブルＴ２及びソフトウェアテーブルＴ６に書き込まれると、第１の実施形態と同様、設備管理サーバ４及び設備監視制御装置３の各同期通信部４９，３１により、そのソフト更新要求情報及び新規のソフトウェアが送受される。
【０１１６】
設備監視制御装置３において、ソフト更新要求情報及び新規のソフトウェアを受信すると、図１０（ｃ）に示すように、該設備監視制御装置３における記憶部３３の要求情報テーブルＴ３にソフト更新要求情報が書き込まれる。また、図１０（ｄ）に示すように、設備管理サーバ４と同様、設備監視制御装置３の記憶部３３も、ソフトウェアテーブルＴ７を有し、このソフトウェアテーブルＴ７に新規のソフトウェアのバイナリファイルが書き込まれる。
【０１１７】
その後、設備監視制御装置３において、実行中のソフトウェアに対して所定の処理を行い、ソフトウェアテーブルＴ７に、設備管理サーバ４から送信された新規のソフトウェアのバイナリファイルが実行中のソフトウェアに上書きされ、ソフトウェアの再起動が行われる。
【０１１８】
そして、図１０（ｅ）に示すように、設備監視制御装置３における記憶部３３の結果情報テーブルＴ４に、ソフトウェアの更新完了を示す結果情報「ｃｏｍｍａｎｄ＝＃７６０，ｒｅｓｕｌｔ＝１」が書き込まれる。なお、第１の実施形態と同様、「ｒｅｓｕｌｔ＝１」の情報は、ソフトウェアの更新に成功したことを示す。
【０１１９】
結果情報が記憶部３３の結果情報テーブルＴ４に書き込まれると、設備監視制御装置３及び設備管理サーバ４の各同期通信部３１，４９により、その結果情報が送受される。
【０１２０】
設備管理サーバ４において、結果情報を受け取ると、図１０（ｆ）に示すように、該設備管理サーバ４における記憶部４４の結果情報テーブルＴ５にこの結果情報が書き込まれる。
【０１２１】
このように、設備管理サーバ４及び設備監視制御装置３に同期通信機能を備え、ソフト更新要求情報、新規のソフトウェア及び結果情報を送受する場合にのみ設備管理サーバ４と設備監視制御装置３との間で通信を行って、設備監視制御装置３及び設備管理サーバ４が通信ネットワークを介して共通のソフト更新要求情報、ソフトウェア及び結果情報を保有するようにしたから、設備監視制御装置３を動作させるためのソフトウェアの更新及びその処理結果の確認を行うことのできる設備監視制御システム１を比較的簡単な構成で構築することができる。
【０１２２】
次に、本発明の第４の実施形態について説明する。本実施形態においては、設備管理サーバ４と設備監視制御装置３との間で通信する情報の種類、図７に示す設備監視制御装置３における処理部３９の処理内容が第２の実施形態と異なるだけで、図１に示す設備監視制御システム１、図２に示す設備管理サーバ４、及び図７に示す設備監視制御装置３の構成については第２の実施形態と略同様であるから、その相違点についてのみ説明することとする。
【０１２３】
第４の実施形態では、設備監視制御装置３の記憶部３３に格納されている情報のバックアップデータを該記憶部３３に作成するように設備管理サーバ４から設備監視制御装置３に要求する旨の情報について、設備管理サーバ４と設備監視制御装置３との間で同期通信を行うものである。
【０１２４】
この機能を実現するために、アプリケーション実行部４１は、図１１に示すように、設備監視制御装置３に対し該装置３の記憶部３３に格納されている情報のバックアップデータを作成するように要求するための画面Ｇ３（以下、バックアップ要求画面Ｇ３という）を図略の表示部に表示するとともに、図略の操作部によりバックアップ要求画面Ｇ３上においてバックアップ指示操作が行われると、設備監視制御装置３に対してバックアップデータを作成するように要求する旨を示すバックアップ要求情報を生成する機能を有している。
【０１２５】
また、本実施形態においては、設備監視制御装置３の処理部３９は、要求情報検知部３４により記憶部３３にバックアップ要求情報が格納されたことが検知されると、該記憶部３３に格納されている情報のバックアップを実行する。
【０１２６】
図１１に示すように、設備管理サーバ４の表示部には、例えば、設備管理サーバ４が管理する対象のビル及び設備監視制御装置３の名称と、「設定」ボタンＢ６と、「バックアップ作成」ボタンＢ７とを有するバックアップ要求画面Ｇ３が表示される。
【０１２７】
「設定」ボタンＢ６を操作すると、定期バックアップ設定ダイアログボックスＶ３が表示される。このダイアログボックスＶ３は、バックアップを定期的に行うか否かを選択するための「ＯＮ」ボタンＢ８及び「ＯＦＦ」ボタンＢ９と、バックアップの実行周期を表示する周期表示部Ｓ１と、このダイアログボックスＶ３で入力した内容に確定するための「決定」ボタンＢ１０とを有する。
【０１２８】
図略の操作部により、バックアップデータの作成を行わない場合には「ＯＦＦ」ボタンＢ９を操作する一方、バックアップを定期的に行う場合には「ＯＮ」ボタンｂ８を操作し、かつバックアップの実行周期を入力した後、「決定」ボタンＢ１０を操作し、さらにバックアップ要求画面Ｇ３において、「バックアップ作成」ボタンＢ７を操作することで、設備監視制御装置３に対してバックアップデータの作成を要求することができる。
【０１２９】
「バックアップ作成」ボタンＢ７が操作されると、アプリケーション実行部４１により、バックアップを要求する旨を示すバックアップ要求情報「ｃｏｍｍａｎｄ＝＃７７０」が生成され、図１２（ａ）に示すように、記憶部４４の要求情報テーブルＴ２に書き込まれる。
【０１３０】
バックアップ要求情報が記憶部４４の要求情報テーブルＴ２に書き込まれると、設備管理サーバ４及び設備監視制御装置３の各同期通信部４９、３１により、そのバックアップ要求情報が送受される。
【０１３１】
設備監視制御装置３において、バックアップ要求情報を受信すると、図１２（ｂ）に示すように、記憶部３３の要求情報テーブルＴ３にバックアップ要求情報が書き込まれる。
【０１３２】
設備監視制御装置３において、バックアップの作成が完了すると、図１２（ｃ）に示すように、記憶部３３の結果情報テーブルＴ４に、バックアップ完了を示す結果情報「ｃｏｍｍａｎｄ＝＃７７０，ｒｅｓｕｌｔ＝１」が書き込まれる。なお、第１の実施形態と同様、「ｒｅｓｕｌｔ＝１」の情報は、バックアップの作成に成功したことを示す。
【０１３３】
結果情報が記憶部３３の結果情報テーブルＴ４に書き込まれると、設備監視制御装置３及び設備管理サーバ４の各同期通信部３１，４９により、その結果情報が送受される。
【０１３４】
設備管理サーバ４において、結果情報を受け取ると、図１２（ｄ）に示すように、該設備管理サーバ４における記憶部４４の結果情報テーブルＴ４にこの結果情報が書き込まれる。
【０１３５】
このように、設備管理サーバ４及び設備監視制御装置３に同期通信機能を備え、バックアップ要求情報及び結果情報を送受する場合にのみ設備管理サーバ４と設備監視制御装置３との間で通信を行って、設備監視制御装置３及び設備管理サーバ４が通信ネットワークを介して共通のバックアップ要求情報及び結果情報を保有するようにしたから、バックアップの作成及び処理結果の確認を行うことのできる設備監視制御システム１を比較的簡単な構成で構築することができる。
【０１３６】
次に、本発明の第５の実施形態について説明する。本実施形態においては、設備管理サーバ４と設備監視制御装置３との間で通信する情報の種類、図７に示す設備監視制御装置３における処理部３９の処理内容が第２の実施形態と異なるだけで、図１に示す設備監視制御システム１、図２に示す設備管理サーバ４、及び図７に示す設備監視制御装置３の構成については第２の実施形態と略同様であるから、その相違点についてのみ説明することとする。
【０１３７】
第４の実施形態に係る設備監視制御システム１は、設備監視制御装置３の記憶部に格納されている情報のバックアップデータを該設備監視制御装置３の記憶部３３に保存する機能を備えたものであるが、データの安全性の向上を考慮して、第５の実施形態に係る設備監視制御システム１は、図１３に示すように、設備管理サーバ４や設備監視制御装置３とは別の装置、例えば監視センター５に設置されている管理装置６（以下、センターサーバ６という）に、上記バックアップデータを保存する機能を備えたものである。
【０１３８】
そして、本実施形態では、設備監視制御装置３の記憶部に格納されている情報のバックアップデータをセンターサーバ６に作成するように設備管理サーバ４から設備監視制御装置３に要求する旨の情報について、設備管理サーバ４と設備監視制御装置３との間で同期通信を行うものである。
【０１３９】
この機能を実現するために、アプリケーション実行部４１は、図１４に示すように、設備監視制御装置３に対してバックアップデータをセンターサーバ６に作成するように要求するための画面Ｇ４（以下、第２バックアップ要求画面Ｇ４という）を図略の表示部に表示するとともに、図略の操作部により第２バックアップ要求画面Ｇ４上においてバックアップ指示操作が行われると、設備監視制御装置３に対してバックアップを要求する旨を示すバックアップ要求情報を生成する機能を有している。
【０１４０】
また、本実施形態においては、設備監視制御装置３の処理部３９は、要求情報検知部３４により記憶部３３にバックアップ要求情報が格納されたことが検知されると、該記憶部３３に格納されている情報のバックアップを実行する。
【０１４１】
図１４に示すように、設備管理サーバ４の表示部には、例えば、設備管理サーバ４が管理する対象のビル及び設備監視制御装置３の名称と、「設定」ボタンＢ１１と、バックアップ作成場所表示部Ｓ２と、「バックアップ作成」ボタンＢ１２とを有する第２バックアップ要求画面Ｇ４が表示される。
【０１４２】
「設定」ボタンＢ１１を操作すると、定期バックアップ設定ダイアログボックスＶ４が表示される。このダイアログボックスＶ４は、バックアップを定期的に行うか否かを選択するための「ＯＮ」ボタンＢ１３及び「ＯＦＦ」ボタンＢ１４と、バックアップの実行周期を表示する周期表示部Ｓ３と、バックアップデータの作成場所を指定するための指定操作部Ｓ４と、このダイアログボックスＶ４で入力した内容に確定するための「決定」ボタンＢ１５とを有する。
【０１４３】
図略の操作部により、バックアップを行わない場合には「ＯＦＦ」ボタンＢ１４を操作する一方、バックアップを定期的に行う場合には「ＯＮ」ボタンＢ１３を操作し、かつバックアップデータを保存する場所（センターサーバ６）を選択した後、「決定」ボタンＢ１５を操作し、さらに第２バックアップ要求画面Ｇ４において、「バックアップ作成」ボタンＢ１２を操作することで、設備監視制御装置３に対してバックアップデータをセンターサーバ６に作成するように要求することができる。
【０１４４】
「バックアップ作成」ボタンＢ１２が操作されると、アプリケーション実行部４１により、バックアップの作成を要求する旨及びバックアップデータの保存場所を示すバックアップ要求情報「ｃｏｍｍａｎｄ＝＃７７０，ｌｏｃａｔｉｏｎ＝０」が生成され、図１５（ａ）に示すように、設備管理サーバ４における記憶部４４の要求情報テーブルＴ２に書き込まれる。このバックアップ要求情報のうち「ｌｏｃａｔｉｏｎ＝０」の情報は、バックアップデータの保存場所がセンターサーバ６であることを示す。
【０１４５】
バックアップ要求情報が記憶部４４の要求情報テーブルＴ２に書き込まれると、設備管理サーバ４及び設備監視制御装置３の各同期通信部４９，３１により、そのバックアップ要求情報が送受される。
【０１４６】
設備監視制御装置３において、バックアップ要求情報を受信すると、図１５（ｂ）に示すように、該設備監視制御装置３における記憶部３３の要求情報テーブルＴ３にバックアップ要求情報が書き込まれる。
【０１４７】
設備監視制御装置３において、記憶部３３の要求情報テーブルＴ３にバックアップ要求情報が書き込まれたことが検知されると、記憶部３３に格納されている所定の情報のバックアップデータを作成し、このバックアップ処理が完了すると、図１５（ｃ）に示すように、設備監視制御装置３における記憶部３３のバックアップテーブルＴ８に、バックアップデータが書き込まれる。
【０１４８】
図１５（ｃ）に示すバックアップテーブルＴ８は、設備監視制御装置３の種類、タイムスタンプ（バックアップデータが該テーブルＴ８に書き込まれた日時）、及びバックアップデータをフィールドとしてなるものである。
【０１４９】
また、バックアップ処理が完了すると、図１５（ｄ）に示すように、設備監視制御装置３における記憶部３３の結果情報テーブルＴ４に、バックアップ完了を示す結果情報「ｃｏｍｍａｎｄ＝＃７７０，ｒｅｓｕｌｔ＝１」が書き込まれる。なお、第１の実施形態と同様、「ｒｅｓｕｌｔ＝１」の情報は、バックアップデータの作成に成功したことを示す。
【０１５０】
設備監視制御装置３において、結果情報及びバックアップデータが記憶部３３の結果情報テーブルＴ４及びバックアップテーブルＴ８に書き込まれると、設備監視制御装置３及び設備管理サーバ４の各同期通信部３１，４９により、その結果情報とバックアップデータとが送受される。
【０１５１】
設備管理サーバ４において、結果情報及びバックアップデータを受信すると、図１５（ｅ）に示すように、該設備管理サーバ４における記憶部３３の結果情報テーブルＴ５にこの結果情報が書き込まれる。また、図１５（ｆ）に示すように、設備監視制御装置３と同様、設備管理サーバ４の記憶部４４も、バックアップテーブルＴ９を有し、このバックアップテーブルＴ９にバックアップデータが書き込まれる。
【０１５２】
設備管理サーバ４における記憶部４４のバックアップテーブルＴ９は、図１５（ｃ）に示す設備監視制御装置３側のバックアップテーブルＴ８と同様、設備監視制御装置３の種類、タイムスタンプ（結果情報が該テーブルＴ９に書き込まれた日時）、及びバックアップデータをフィールドとして備え、各設備監視制御装置３についてのレコードを蓄積してなるものである。
【０１５３】
設備監視制御装置３と設備管理サーバ４との間で結果情報及びバックアップデータについての同期通信が完了すると、設備管理サーバ４において、記憶部４４のバックアップテーブルＴ９に書き込まれたバックアップデータをコピーし、通信ネットワークを介して監視センター５のセンターサーバ６に送出する。
【０１５４】
このように、設備管理サーバ４及び設備監視制御装置３に同期通信機能を備え、バックアップ要求情報及び結果情報を送受する場合にのみ設備管理サーバ４と設備監視制御装置３との間で通信を行って、設備監視制御装置３及び設備管理サーバ４が通信ネットワークを介して共通のバックアップ要求情報及び結果情報を保有するようにしたから、バックアップの作成及び処理結果の確認を行うことのできる設備監視制御システム１を比較的簡単な構成で構築することができる。
【０１５５】
なお、第１〜第５の実施形態において、設備監視制御装置３が制御する制御対象設備２は、照明設備や空調設備に限らず、例えば、電力設備、水道設備、ガス設備、煙センサ、温度センサ及び湿度センサ等のセンサ、電子錠装置等の住戸設備、テレビジョン、ビデオテープレコーダ、ＤＶＤレコーダ及び洗濯機等の家電製品、コンピュータ等の情報処理装置、電話機及びファクシミリ装置等の通信機器、そして、脈拍計、体温計、血中酸素濃度計及び心電図計等の医療機器等などでもよく、要は動作状態が変化し、その動作状態が制御可能な設備であればよい。
【０１５６】
また、上記実施形態では、設備管理サーバ４の結果情報検知部４７及び要求情報検知部４５、ならびに、設備監視制御装置３の結果情報検知部３７及び要求情報検知部３４は、テーブルへの情報の格納を待機し、該情報が格納されるとイベント信号を出力する所定のアプリケーションにより出力された該イベント信号を受信することで、その情報が新たに格納されたことを検知する構成としたが、これに限らず、定期的（例えば１秒毎、１分毎）にテーブルをチェックするアプリケーションにより、機能的に結果情報検知部４７等を具備するようにしてもよい。
【０１５７】
【発明の効果】
請求項１，７〜１１に記載の発明によれば、設備管理サーバ及び設備監視制御装置に、要求情報の授受を行う機能を搭載するとともに、設備管理サーバの第１記憶手段に要求情報が格納されると、この要求情報を自動的に設備監視制御装置に送信して、該装置の第２記憶手段に上記要求情報を格納するように構成したので、Ｗｅｂサーバ装置などの通信装置を別途設置して通信を行う構成やポーリング技術を利用する構成に比して、コストアップや通信量の増加を防止または抑制しつつ、設備管理サーバと設備監視制御装置との間で要求情報の通信が可能な設備監視制御装置を構築することができる。
【０１５８】
請求項２に記載の発明によれば、設備管理サーバ及び設備監視制御装置に、結果情報の授受を行う機能を搭載するとともに、設備監視制御装置の第３記憶手段に結果情報が格納されると、この結果情報を自動的に設備管理サーバに送信して、該サーバの第４記憶手段に上記結果情報を格納するように構成したので、コストアップや通信量の増加を防止または抑制しつつ、設備管理サーバと設備監視制御装置との間で結果情報の通信が可能な設備監視制御装置を構築することができる。
【０１５９】
請求項３に記載の発明によれば、設備管理サーバから設備監視制御装置に要求する内容を示す要求情報として、前記制御対象設備の動作状態の制御を要求する情報を含むので、コストアップや通信量の増加を防止または抑制しつつ、設備管理サーバから設備監視制御装置に対して、制御対象設備の動作状態の制御を要求する情報を送信することができ、これにより、設備監視制御装置による制御対象設備の動作状態を制御することができる。
【０１６０】
請求項４に記載の発明によれば、設備管理サーバから設備監視制御装置に要求する内容を示す要求情報として、設備監視制御装置の前記記憶手段に格納されている情報の削除を要求する情報を含むので、コストアップや通信量の増加を防止または抑制しつつ、設備管理サーバから設備監視制御装置に対して、設備監視制御装置の前記記憶手段に格納されている情報の削除を要求する情報を送信することができ、これにより、設備監視制御装置に格納されている情報を削除することができる。
【０１６１】
請求項５に記載の発明によれば、設備管理サーバから設備監視制御装置に要求する内容を示す要求情報として、設備監視制御装置を動作させるためのソフトウェアの更新を要求する情報及び新規のソフトウェアを含むので、コストアップや通信量の増加を防止または抑制しつつ、設備管理サーバから設備監視制御装置に対して、設備監視制御装置を動作させるためのソフトウェアの更新を要求する情報及び新規のソフトウェアを送信することができ、これにより、設備監視制御装置を動作させるためのソフトウェアを上記新規のソフトウェアに更新することができる。
【０１６２】
請求項６に記載の発明によれば、設備管理サーバから設備監視制御装置に要求する内容を示す要求情報として、設備監視制御装置の前記記憶手段に格納されている情報のバックアップを要求する情報を含むので、コストアップや通信量の増加を防止または抑制しつつ、設備管理サーバから設備監視制御装置に対して、設備監視制御装置の前記記憶手段に格納されている情報のバックアップを要求する情報を送信することができ、これにより、設備監視制御装置に格納されている情報のバックアップを行うことができる。
【図面の簡単な説明】
【図１】本発明に係る設備監視制御システムの構成図である。
【図２】設備管理サーバの制御ブロック図である。
【図３】設備管理サーバの表示部に表示される制御要求画面の一例を示す図である。
【図４】設備監視制御装置の制御ブロック図である。
【図５】設備管理サーバと設備監視制御装置との間で行われる通信のシーケンスを示す図である。
【図６】設備管理サーバ及び設備監視制御装置の各記憶部に格納されているテーブルに格納される情報を示す図である。
【図７】他の実施形態の設備監視制御装置の制御ブロック図である。
【図８】設備管理サーバ及び設備監視制御装置の各記憶部に格納されているテーブルに格納される情報を示す図である。
【図９】ソフト更新要求画面を示す図である。
【図１０】設備管理サーバ及び設備監視制御装置の各記憶部に格納されているテーブルに格納される情報を示す図である。
【図１１】バックアップ要求画面を示す図である。
【図１２】設備管理サーバ及び設備監視制御装置の各記憶部に格納されているテーブルに格納される情報を示す図である。
【図１３】他の実施形態の設備監視制御システムの構成図である。
【図１４】第２バックアップ要求画面を示す図である。
【図１５】設備管理サーバ及び設備監視制御装置の各記憶部に格納されているテーブルに格納される情報を示す図である。
【図１６】従来の設備監視制御システムの構成図である。
【符号の説明】
１    設備監視制御システム
２    制御対象設備
３    設備監視制御装置
３１  同期通信部
３２  要求情報書込み部
３３  記憶部
３４  要求情報検知部
３５  制御情報生成部
３６  結果情報書込み部
３７  結果情報検知部
３８  設備通信部
４    設備管理サーバ
４１  アプリケーション実行部
４２  要求情報受信部
４３  要求情報書込み部
４４  記憶部
４５  要求情報検知部
４６  結果情報書込み部
４７  結果情報検知部
４８  結果情報送信部
４９  同期通信部
【図１】
2004246679.tif 000003
【図２】
2004246679.tif 000004
【図３】
2004246679.tif 000005
【図４】
2004246679.tif 000006
【図５】
2004246679.tif 000007
【図６】
2004246679.tif 000008
【図７】
2004246679.tif 000009
【図８】
2004246679.tif 000010
【図９】
2004246679.tif 000011
【図１０】
2004246679.tif 000012
【図１１】
2004246679.tif 000013
【図１２】
2004246679.tif 000014
【図１３】
2004246679.tif 000015
【図１４】
2004246679.tif 000016
【図１５】
2004246679.tif 000017
【図１６】
2004246679.tif 000018